(57)【要約】【課題】反りがなく、表面の平滑性が高い磁気記録媒体用基板を、高い生産性で、低コストで製造することが可能な磁気記録媒体用基板の製造方法を提供することを目的とする。【解決手段】本発明の磁気記録媒体用基板の製造方法は、板状のガラス母材１を加熱して軟化するとともに、ガラス母材１を空間中で下方に引っ張りながら熱延してガラス薄板５を形成するガラス薄板形成工程と、ガラス薄板５から円盤状のガラス基板を切り出すガラス基板形成工程と、前記円盤状のガラス基板に研削および／または研磨の表面加工を施す表面加工工程と、を具備してなることを特徴とする。【選択図】図１
2009259309.tif 000002
【特許請求の範囲】
【請求項１】
板状のガラス母材を加熱して軟化するとともに、前記ガラス母材を空間中で下方に引っ張りながら熱延してガラス薄板を形成するガラス薄板形成工程と、
前記ガラス薄板から円盤状のガラス基板を切り出すガラス基板形成工程と、
前記円盤状のガラス基板に研削および／または研磨の表面加工を施す表面加工工程と、を具備してなることを特徴とする磁気記録媒体用基板の製造方法。
【請求項２】
前記ガラス薄板形成工程において、前記ガラス薄板の板厚が、前記表面加工工程後の前記ガラス基板の板厚に対して＋１０％以下であり、かつ、前記ガラス薄板の表面粗さ（Ｒａ）を２ｎｍ以下に加工することを特徴とする請求項１に記載の磁気記録媒体用基板の製造方法。
【請求項３】
前記表面加工工程は、研磨加工のみであることを特徴とする請求項１または２に記載の磁気記録媒体用基板の製造方法。
【請求項４】
前記研磨加工が、１段であることを特徴とする請求項３に記載の磁気記録媒体用基板の製造方法。
【発明の詳細な説明】
【技術分野】
【０００１】
本発明は、ハードディスクドライブ等に用いられる磁気記録媒体に関し、さらに詳しくは、磁気記録媒体に用いられる基板の製造方法に関する。
【背景技術】
【０００２】
磁気記録媒体としては、磁気ディスク、光磁気ディスク、光ディスクといった様々なディスクが使用されているが、特に大容量の磁気記録媒体としてはハードディスクドライブ等の磁気ディスクが使用されている。この磁気ディスクのための基板としては、アルミニウム合金基板又はガラス基板が使用されている。ガラスを磁気ディスクの基板として用いる場合、その硬度、表面平滑性、剛性、耐衝撃性に関して、一般にアルミニウム合金基板よりも優れている。
【０００３】
磁気記録媒体に用いられるガラス基板は、その外形は中央に開口部を有する円盤状である。このガラス基板の開口部には、回転モータのスピンドルが挿入され、磁気記録媒体はこの回転モータによって高速回転され、磁気記録媒体表面を浮上する磁気記録再生ヘッドにより、磁気記録媒体に情報が読み書きされる。
【０００４】
磁気記録媒体用ガラス基板の製造方法としては多くの方法が提案されているが、その製造方法は２つの方法に大別される。
先ず、第１の製造方法は、大きな板状のガラス板から円盤状の基板を切り出す方法である。ガラス板の製造方法としては、ガラス板を垂直下方に引き抜くダウンドロー方式が知られている。ダウンドロー方式には、溶融ガラスをくさび状成形体の両側面に沿って流下させて、成形体の下端部で合流させて、徐々に冷却しながら引っ張りローラ等により下方に引っ張ることによりガラス板の成形を行うものがある（例えば、特許文献１参照。）。
【０００５】
第２の製造方法は、溶融ガラスから成形型を用いて直接プレス成形する方法、すなわちダイレクトプレス法である。この方法は、離型剤層を成形面に形成した上下の成形型を用いて、この成形型の間に軟化させた原料ガラスを挟んでプレスし、ガラスの軟化点以下である温度において、上下型とガラスとが熱的に平衡となるまで充分な時間プレスすることにより、反りの小さな円盤状ガラス基板を製造する方法である（例えば、特許文献２参照。）。
【０００６】
上記の方法で製造された円盤状のガラス基板は、その後、表面及び端面の研削および研磨加工が施される。ガラス基板の表面加工は、一般的には、１次研削加工、２次研削加工、研磨加工の３段階により構成され、研磨加工は、１次研磨加工、２次研磨加工の２段階で行われる場合もある（例えば、特許文献３参照。）。
【０００７】
なお、以上のガラス材の加工方法は、何れも板状のガラスの加工方法であるが、ガラスファイバーやガラス管の製造方法として、リドロー成形法が知られている。リドロー成形法とは、相似する形状のガラス材を熱延して所望の形状に成形する方法である（例えば、特許文献４）。
【特許文献１】特開平２−２２５３２６号公報
【特許文献２】特開平５−１０５４５８号公報
【特許文献３】特開２０００−３３９６７２号公報
【特許文献４】特開２００５−５３７５４号公報
【発明の開示】
【発明が解決しようとする課題】
【０００８】
しかしながら、最近では磁気記録媒体の高密度化の要求が高まり、従来に比べ、より反りが小さく表面の平滑性の高い基板が求められている。特にＭＲヘッドに対応可能な磁気記録媒体用基板には高い平坦性を有することが要求されている。
【０００９】
前述のプレス成形により得られたガラス基板は、薄板であるため、プレス型から解放された際に反りが発生しやすく、その反りを解消するため多段の研削加工および研磨加工を施す必要があった。
また、ダウンドロー方式で製造されたガラス板を用いる場合についても、ガラス板の表面の平滑性が悪く、磁気記録媒体用基板としての高い平滑性を得るために多段の研削加工および研磨加工を施す必要があり、結果として、研削・研磨時間が長くなり、磁気記録媒体用基板の量産性の悪化、コストアップにつながっていた。
【００１０】
本願発明は、上記事情を鑑みてなされたものであって、反りがなく、表面の平滑性が高い磁気記録媒体用基板を、高い生産性で、低コストで製造することがきできる磁気記録媒体用基板の製造方法を提供することを目的とする。
【課題を解決するための手段】
【００１１】
本発明者は、上記課題を解決すべく鋭意努力検討した結果、磁気記録媒体用基板の基となるガラス板としてリドロー成形法で製造したガラス板を使用することにより、ガラス板の反りを減らし、またガラス表面の平滑性を容易に高めることが可能となること、これにより、従来の基板の加工方法では必須であった研削加工を省略でき、磁気記録媒体用基板の生産性を著しく高めることが可能となることを見出し、本願発明を完成させた。すなわち、本願発明は以下に関する。
〔１〕  板状のガラス母材を加熱して軟化するとともに、前記ガラス母材を空間中で下方に引っ張りながら熱延してガラス薄板を形成するガラス薄板形成工程と、前記ガラス薄板から円盤状のガラス基板を切り出すガラス基板形成工程と、前記円盤状のガラス基板に研削および／または研磨の表面加工を施す表面加工工程と、を具備してなることを特徴とする磁気記録媒体用基板の製造方法。
〔２〕  前記ガラス薄板形成工程において、前記ガラス薄板の板厚が、前記表面加工工程後の前記ガラス基板の板厚に対して＋１０％以下であり、かつ、前記ガラス薄板の表面粗さ（Ｒａ）を２ｎｍ以下に加工することを特徴とする前記〔１〕に記載の磁気記録媒体用基板の製造方法。
〔３〕  前記表面加工工程は、研磨加工のみであることを特徴とする前記〔１〕または〔２〕に記載の磁気記録媒体用基板の製造方法。
〔４〕  前記研磨加工が、１段であることを特徴とする前記〔３〕に記載の磁気記録媒体用基板の製造方法。
【発明の効果】
【００１２】
本願発明の磁気記録媒体用基板の製造方法によれば、反りがなく、表面の平滑性が高い磁気記録媒体用基板を、高い生産性で、低コストで製造することができる。すなわち、磁気記録媒体用ガラス基板の製造に際して、表面加工前の基板の反りを減らし、かつ、表粗さを格段に向上させることが可能となる。そのため、基板表面の研削加工、研磨加工を減らすことが可能となり、磁気記録媒体用ガラス基板の生産性を著しく高めることが可能となる。
【発明を実施するための最良の形態】
【００１３】
以下、本願発明の磁気記録媒体用基板の製造方法について、図面を参照しながら詳細に説明する。
本願発明の磁気記録媒体用基板の製造方法は、板状のガラス母材を加熱して軟化するとともに、前記ガラス母材を空間中で下方に引っ張りながら熱延してガラス薄板を形成するガラス薄板形成工程と、前記ガラス薄板から円盤状のガラス基板を切り出すガラス基板形成工程と、前記円盤状のガラス基板に研削および／または研磨の表面加工を施す表面加工工程と、から概略構成されている。
【００１４】
「ガラス薄板形成工程」
本願発明の磁気記録媒体用基板の製造方法は、その基となるガラス薄板の形成方法として、板状のガラス材を加熱して軟化し、このガラス材を空間中で下方に引っ張りながら熱延する方法を採用することを特徴とする。この方法はリドロー成形法ともよばれが、図１を参照しながら詳細に説明する。
【００１５】
（リドロー成形法）
図１に示すように、リドロー成形前のガラス母材１は、横方向がガラス材の板厚方向、縦方向がガラス材面方向である。ガラス母材１の断面は成形する磁気記録媒体用基板の断面と相似する形状とする。ガラス母材１の上方の端部は母材支え２によって保持され、ガラス母材１の下方の端部は自由端となっている。
【００１６】
本願発明の製造方法では、ガラス母材１の下方端部を加熱ヒータ３により溶融状態にする。そして、溶融したガラス材は重力により下方に垂れ下がるが、この垂れ下がったガラス材を引っ張りローラ４により下方に引っ張り、ガラス母材１を熱延することにより、ガラス母材１と相似形状断面を有するガラス薄板５を製造することができる。
【００１７】
このようなガラス薄板形成方法を採用することにより、表面の平滑性が高く、歪みや反りの少ないガラス薄板を容易に製造することが可能となる。すなわち本願発明の方法を採用した場合、ガラス母材１の表面を平滑にすることにより、その母材から引き伸ばされて製造されたガラス薄板５もその表面が平滑となる。またガラス薄板５の表面は自由表面の状態で凝固するため、プレス法のようにプレス型の表面がガラス面に転写されることがない。さらに、ガラスが凝固する最中に外部から力が加わることがないため凝固するガラスに歪みの入ることがなく、ガラスが反ることもない。なお、ガラス薄板５の上部は引っ張りローラ４に接しているが、この箇所でガラスは溶融状態のため、この箇所でガラス薄板５に歪み等が入ることもなく、またローラ表面の凹凸がガラス薄板に転写されることもない。
【００１８】
本願発明において、リドロー成形法によるガラス薄板５の形成に際し、ガラス母材１の厚さ、ガラス母材１の下端の加熱温度、また溶融したガラス母材１の引っ張り速度は、ガラス母材１の種類、厚さ、製造するガラス薄板５の厚さにもよるが、外径２．５インチの磁気記録媒体用基板の厚さは約０．６３５ｍｍであるため、ガラス母材１の厚さは数ｍｍ〜数ｃｍ、ガラスの溶融温度は７００℃〜９５０℃、引っ張り速度は１〜１０ｍ／分の範囲内から適宜選択することができる。
【００１９】
「ガラス基板形成工程」
次に、このガラス薄板５から中央に開口部のある円盤状のガラス基板を切り出す。ガラス薄板５から円盤状のガラス基板を切り出す方法は、ダイヤモンド砥石も用いたホールソーを用いた機械加工や、レーザー加工等の公知の方法を用いることができる。
【００２０】
「表面加工工程」
続いて、この円盤状のガラス基板に研削および／または研磨の表面加工を施す。本願発明で研削（ラップ）加工とは、ガラス基板を磁気記録媒体用基板に求められる所定の形状、寸法に仕上げることを指す。この工程でガラス基板を所定の平坦度および面粗度に整えることにより、次の研磨工程をスムーズ行うことが可能となる。本願発明の磁気記録媒体用基板の研削加工には、固定砥粒方式のラップ盤を用いる方法、遊離砥粒と定盤を用いる方法がある。
【００２１】
一方、研磨（ポリッシング）加工とは、研削された加工物をナノレベルで鏡面加工することを指す。この工程でガラス基板は、最終製品で要求される精度に仕上げられる。磁気記録媒体用基板の研磨加工には、遊離砥粒と定盤による方法が用いられる。
【００２２】
上記のように、研削加工と研磨加工とでは、その加工方法においてオーバーラップする場合がある。本願発明では便宜的に、最終仕上げを行う最後の加工を研磨加工とし、それ以外の固定砥粒方式の加工を研削加工とする。
またそれ以外の遊離砥粒を用いた加工で、加工前のガラス基板の板厚が、加工後の板厚に対して＋１０％以下の加工を研磨加工、＋１０％より大きい加工を研削加工として定義する。例えば、外径２．５インチの磁気記録媒体用ガラス基板において、最終製品の板厚が０．６３５ｍｍの場合、最終工程以外の加工で加工時の両表面での取り代の合計が約０．０６ｍｍ（片面では約０．０３ｍｍ）より大きい場合は研削加工、約０．０６ｍｍより小さい場合は研磨加工となる。
なお、遊離砥粒を用いた加工では、研磨加工の途中で研磨スラリーを変更する場合がある。この場合は、研磨スラリーが変更された段階で次の段の加工が行われたと解釈する。
【００２３】
研削加工には、数ミクロン〜２０ミクロンのダイヤモンド粒を用いたダイヤモンドラップ盤を用いることができる。また、ダイヤモンドの代わりに、同じ粒径範囲の立方晶ＢＮ、ＳｉＣ、Ａｌ２Ｏ３等を用いることもできる。
【００２４】
研磨加工には、遊離砥粒として用いる研磨スラリーとして、セリア研磨材及びシリカ研磨材を水等の分散媒に分散させたものを用いることができる。
【００２５】
研磨スラリーのために使用できるセリア研磨材は、一般に商業的に入手可能であり、例えば０．１μｍ〜５μｍ、特に０．２μｍ〜１．５μｍの平均粒径を有することができる。
【００２６】
研磨スラリーのために使用できるシリカ研磨材は、フュームドシリカ、沈降シリカ、コロイダルシリカ等として一般に商業的に入手可能であり、特にコロイダルシリカを用いることができる。このコロイダルシリカは、例えば０．０１μｍ〜０．２μｍのものを用いることができるが、この中で特に平均粒径０．０２μｍ（２０ｎｍ）程度のものを用いることが好ましい。
【００２７】
研磨スラリーのために用いることができる分散媒としては、水、有機溶媒、例えば水溶性有機溶媒が挙げることができ、水は好ましい分散媒である。水溶性有機溶媒としては、メタノール、エタノールのようなアルコール類を挙げることができる。
【００２８】
研磨スラリーは随意に分散剤としての界面活性剤を含有することができ、この界面活性剤としては、アニオン系界面活性剤、カチオン系界面活性剤、非イオン系界面活性剤等や両性イオン界面活性剤、又はそれらの組み合わせを挙げることができる。
【００２９】
研磨スラリーは特に、結晶質相部分と非晶質相部分とを有する結晶化ガラス基板の研磨のために有用である。これは、研磨スラリーのセリア研磨材が、結晶化ガラス基板の非晶質相部分に対して化学及び機械的な作用によって良好な研磨作用を発揮し、且つ研磨スラリーのシリカ研磨材が、セリア研磨材のみによっては迅速な研磨が達成できない結晶質相部分に対しても、機械的な作用によって良好な研磨作用を発揮することによる。
また、シリカ研磨材は硬度が大きすぎず、従って結晶化ガラス基板の表面にマイクロスクラッチなどを発生させにくい。また更に、研磨スラリーでは、研磨材を低濃度で用いて良好な研磨性能を発揮できるので、研磨スラリーのコストを低減させることができる。
【００３０】
研磨スラリーを用いてガラス基板の研磨を行う場合、研磨布を張った上下定盤を研磨部材として用いて、キャリアによって保持された複数のガラス基板をこれらの研磨部材の間に挟持させ、上下定盤を回転させることによって、ガラス基板の両面を同時に研磨加工することができる。また研磨スラリーは、ブラシ、研磨テープ、研磨パッド等を用いる任意の他の研磨方法に利用することもできる。
【００３１】
研磨加工は、１回（１段）又は複数段階に分けて行うこともできる。１段で行なう場合は、ガラス基板表面を平滑にし、表面欠陥を除去する最終研磨工程のみを行なう。
複数段階に分けて行う場合は一般に、ガラス基板表面の加工変質層及び傷を除去し、ガラス基板の端部形状を制御する粗研磨工程と、ガラス基板表面を平滑にし、表面欠陥を除去する最終研磨工程とを行う。
【００３２】
粗研磨工程では、比較的硬い発泡ウレタンなどからなる研磨パッド（硬質ポリシャ）を研磨部材として用い、最終研磨工程では、比較的柔らかい人工皮革スウェードなどからなる研磨パッド（軟質ポリシャ）を研磨部材として使用する。ガラス基板の研磨のために本発明の研磨スラリーと組み合わせて用いる研磨部材は、本発明を限定するものではない。例えば硬質ポリシャとしてはウレタンパッド、不織布パッド、エポキシ樹脂パッド等を使用することができ、軟質ポリシャとしてはスウェードパッド、不織布パッド等を使用することができる。
【００３３】
本願発明では、リドロー成形法で製造したガラス薄板５の板厚を、表面加工工程後のガラス基板の板厚に対して＋１０％以下とし、ガラス薄板５の表面粗さ（Ｒａ）が２ｎｍ以下とするのが好ましい。
前述のようにリドロー成形法を用いて研削・研磨加工前のガラス基板を製造した場合、表面の平滑性が高く、歪みや反りの少ないガラス薄板を容易に製造することが可能となる。この場合、ガラス薄板５のＲａを２ｎｍ以下とすれば、ガラス基板の表面加工工程における取り代を極限まで減らすことが可能となり、また、ガラス薄板５の板厚を、表面加工工程後の板厚に対して＋１０％以下とすることにより、高い生産性で磁気記録媒体用基板を製造することが可能となる。
【００３４】
本願発明は、表面加工工程において、研削加工を用いずに、研磨加工のみで行なうことが好ましく、研磨加工を１段で行なうことがより好ましい。このようにすることで、高い生産性で磁気記録媒体用基板を製造することが可能となる。
従来の磁気記録媒体用基板表面の表面加工は、加工前の基板表面の平滑性が悪く、また基板にも反りがあった。そのため、基板の表面加工では、研削工程を２段、研磨工程を２段で行っていた。本願発明の磁気記録媒体用基板の製造方法では、基板の表面加工を研磨工程１段で終了することが可能となり、磁気記録媒体用基板の製造工程を飛躍的に簡略化することが可能となり、大幅なコストダウンを達成することが可能となる。
【実施例】
【００３５】
本願発明を、実施例１および比較例１により詳細に説明する。なお、表面粗さＲａ（ｎｍ）の測定は、原子間力顕微鏡（Ｄｉｇｉｔａｌ  Ｉｎｓｔｒｕｍｅｎｔｓ製Ｄ３０００）を用いて測定した。
【００３６】
「実施例１」
（リドロー成形法によるガラス薄板の製造）
実施例１として、図１に示した構造の装置を用いて、リドロー成形法によりガラス薄板を形成し、このガラス薄板から磁気記録媒体用基板を製造した。ガラス母材は、Ｓｉ、Ａｌ、Ｃａ、Ｂ、Ｌｉ、ＮａおよびＫのそれぞれの酸化物を構成成分とする、幅２００ｍｍ、長さ３００ｍｍ、厚さ５ｍｍ、Ｒａ２ｎｍの結晶化ガラスを用いた。このガラス母材の下端部を７００℃で溶融し、その下端を１００ｃｍ／分の速度で引っ張り、板厚０．６７０ｍｍのガラス薄板とした。製造されたガラス薄板のＲａは２ｎｍであった。またガラス薄板の２００ｍｍ四方の範囲における反りの最大値は３０μｍであった。
【００３７】
（ガラス基板の端部加工）
リドロー成形法により製造した実施例１のガラス薄板から外径６５ｍｍ、内径２０ｍｍの円盤状のガラス基板を切り出した。加工にはダイヤモンドホールソーを用いた。
【００３８】
（リドロー成形法によるガラス基板の表面加工）
次に、得られたガラス薄板に対して、下記のダイレクトプレス法によるガラス基板の表面加工の内、２次ポリッシュのみ、すなわちポリッシュ１段のみを行った。
ポリッシュ条件は、固形分含有率１２質量％のセリア研磨材含有溶液（平均粒子径０．５μｍ、昭和電工製ＳＨＯＲＯＸ）と及び固形分含有率４０質量％のシリカ研磨材溶液（平均粒子径０．０２μｍ、フジミ製Ｃｏｍｐｏｌ）とを水に加え、セリア含有率が０．６質量％でシリカ含有率が０．２質量％の研磨スラリーを形成し、得られた研磨スラリーを用いて研磨を行った。研磨機として４ウエイタイプ両面研磨機（浜井産業株式会社製１６Ｂ型）を用い、研磨パッドとしてスウエードタイプ（Ｆｉｌｗｅｌ製）を用いた。また、スラリー供給速度は５リットル／分、下定盤回転数は４０ｒｐｍ、加工圧力は９０ｇ／ｃｍ2、研磨時間は２０分とした。
また、ポリッシュでの取り代は０．０３５ｍｍであった。
そして、最終製品（実施例１）のＲａは０．１５ｎｍであった。
【００３９】
「比較例１」
（ダイレクトプレス法によるガラス薄板の製造）
比較例１として、ダイレクトプレス法によるガラス薄板を形成し、このガラス薄板から磁気記録媒体用基板を製造した。ガラス母材として、Ｌｉ、Ｓｉ、Ａｌ、Ｋ、Ａｌ、Ｍｇ、Ｐ、Ｓｂ、Ｚｎのそれぞれの酸化物を構成成分とするものを使用し、ダイレクトプレス法により外径６５ｍｍの円盤状のガラス基板を製造した。ガラス母材を７００℃で溶解し、これを２枚の金型でプレスし、ガラスが凝固後、金型を解放して円盤状のガラス基板を製造した。製造したガラス基板の板厚は０．８５０ｍｍ、Ｒａは１０ｎｍ、外径６５ｍｍの円盤内での反りの最大値は２５μｍであった。
【００４０】
（ガラス基板の端部加工）
ダイレクトプレス法により製造した比較例１の円盤状のガラス薄板を孔加工して、内径２０ｍｍの円盤状のガラス基板を切り出した。加工はダイヤモンドホールソーを用いた。
【００４１】
（ダイレクトプレス法によるガラス基板の表面加工）
比較例１のダイレクトプレス法によるガラス基板について、表面加工として、１次ラップ、２次ラップ、１次ポリッシュ、２次ポリッシュ（最終ポリッシュ）を行った。ラップ条件およびポリッシュ条件は下記の通りである。１次ラップでの取り代は０．１２１ｍｍ、２次ラップでの取り代は０．０６０ｍｍ、１次ポリッシュでの取り代は０．０３０ｍｍ、２次ポリッシュでの取り代は０．００４ｍｍであった。
【００４２】
（１次ラップ条件）
粒径１２ミクロンのダイヤモンドラップ盤を用いて研削加工を行った。研磨機として４ウエイタイプ両面研磨機（浜井産業株式会社製１６Ｂ型）を用いた。ラップ盤に水を供給しながら、下ラップ盤回転数は４０ｒｐｍ、加工圧力は９０ｇ／ｃｍ2、研磨時間は２０分とした。
【００４３】
（２次ラップ条件）
粒径８ミクロンのダイヤモンドラップ盤を用いて研削加工を行った。研磨機として４ウエイタイプ両面研磨機（浜井産業株式会社製１６Ｂ型）を用いた。ラップ盤に水を供給しながら、下ラップ盤回転数は４０ｒｐｍ、加工圧力は９０ｇ／ｃｍ2、研磨時間は２０分とした。
【００４４】
（１次ポリッシュ条件）
市販のセリア系研磨材（東北金属化学株式会社製  ＳＨＯＲＯＸ、粒径１．０ミクロン）に水に加え、セリア含有率が０．６質量％の研磨スラリーを用いた。研磨機として４ウエイタイプ両面研磨機（浜井産業株式会社製１６Ｂ型）を用い、研磨パッドとしてスウエードタイプ（Ｆｉｌｗｅｌ製）を用いた。また、スラリー供給速度は５リットル／分、下定盤回転数は４０ｒｐｍ、加工圧力は９０ｇ／ｃｍ2、研磨時間は２０分とした。
【００４５】
（２次ポリッシュ条件）
固形分含有率１２質量％のセリア研磨材含有溶液（平均粒子径０．５μｍ、昭和電工製ＳＨＯＲＯＸ）と及び固形分含有率４０質量％のシリカ研磨材溶液（平均粒子径０．０８μｍ、フジミ製Ｃｏｍｐｏｌ）とを水に加え、セリア含有率が０．６質量％でシリカ含有率が０．２質量％の研磨スラリーを形成し、得られた研磨スラリーを用いて研磨を行った。研磨機として４ウエイタイプ両面研磨機（浜井産業株式会社製１６Ｂ型）を用い、研磨パッドとしてスウエードタイプ（Ｆｉｌｗｅｌ製）を用いた。また、スラリー供給速度は５リットル／分、下定盤回転数は４０ｒｐｍ、加工圧力は９０ｇ／ｃｍ2、研磨時間は２０分とした。
【００４６】
以上の工程を経て得られた最終製品（比較例１）のＲａは０．２ｎｍであった。
【００４７】
以上のように、実施例１では、反りがなく、表面の平滑性が高いガラス基板（磁気記録媒体用基板）を製造することができた。また、比較例１では、最終的に実施例１と同等のＲａを有する磁気記録媒体用基板が得られたが、実施例１よりも表面処理の工程数が多くなった。
【産業上の利用可能性】
【００４８】
本発明によれば、磁気記録媒体用基板の製造に際して、表面加工前の基板の反りを減らし、また、表粗さを格段に向上させることが可能となる。そのため、基板表面の研削加工、研磨加工を減らすことが可能となり、磁気記録媒体用ガラス基板の生産性を著しく高めることが可能となり、産業上の利用可能性が高い。
【図面の簡単な説明】
【００４９】
【図１】図１は、本発明の実施形態に係る磁気記録媒体用基板の製造方法を説明するための概略図である。
【符号の説明】
【００５０】
１・・・ガラス母材、２・・・母材支え、３・・・加熱ヒータ、４・・・引っ張りローラ、５・・・ガラス薄板。
【図１】
2009259309.tif 000003